(57)【要約】  スピルオーバーフィッティングは、横ケーブルトラフの直立面に位置する。スピルオーバーフィッティングは、少なくとも部分的に横ケーブルトラフのベースに渡って延在する第１曲面を有する第１出口経路と、第１曲面と交差する第２曲面を有する底壁とを含む。第１面は横ケーブルトラフのベースに対して上方に曲がり、ケーブル経路の頂面を規定し、且つ、第２面は凸状に曲がり、ケーブル経路の底面を規定する。第１曲面の曲率半径は第２曲面の曲率半径と等しい。
2010538592.tif 000002
【特許請求の範囲】
【請求項１】
横ケーブルトラフの直立面に位置するためのスピルオーバーフィッティングであって、スピルオーバーフィッティングは、少なくとも部分的に横ケーブルトラフのベースに渡って延在する第１曲面を有する第１出口経路;及び第１曲面と交差する第２曲面を有する底壁を備え、第１面は横ケーブルトラフのベースに対して上方に曲がり、ケーブル経路の頂面を規定し、且つ、第２面は凸状に曲がり、ケーブル経路の底面を規定し、且つ、第１曲面の曲率半径が第２曲面の曲率半径と等しいことを特徴とするスピルオーバーフィッティング。
【請求項２】
さらに、前記第２曲面から延在する２つの平行な対向する側壁を有することを特徴とする請求項１に記載のスピルオーバーフィッティング。
【請求項３】
さらに、前記第１曲面から延在する少なくとも１つの束縛部材を有することを特徴とする請求項１に記載のスピルオーバーフィッティング。
【請求項４】
前記束縛部材が横ケーブルトラフの空間の外側に配置されることを特徴とする請求項３に記載のスピルオーバーフィッティング。
【請求項５】
第２出口経路は、第１出口経路から底壁に渡って配置されることを特徴とする請求項１に記載のスピルオーバーフィッティング。
【請求項６】
さらに、横ケーブルトラフの直立面に接触する２つの配置タブを備えることを特徴とする請求項１に記載のスピルオーバーフィッティング。
【請求項７】
配置タブは、横ケーブルトラフの空間に延在するスピルオーバーフィッティングの一部のみであることを特徴とする請求項６に記載のスピルオーバーフィッティング。
【請求項８】
第１曲面の底部分が、横ケーブルトラフの直立面の頂上部に配置されることを特徴とする請求項１に記載のスピルオーバーフィッティング。
【請求項９】
第２曲面が、ケーブルを横ケーブルトラフと垂直な方向に案内するために、１８０度変化までを備えることを特徴とする請求項１に記載のスピルオーバーフィッティング。
【請求項１０】
第１及び第２曲面の曲率半径のそれぞれが、ケーブルの特定された最小曲がり半径に等しいことを特徴とする請求項１に記載のスピルオーバーフィッティング。
【請求項１１】
さらに、スピルオーバーフィッティングの下側に配置される搭載ブラケットを備えることを特徴とする請求項１に記載のスピルオーバーフィッティング。
【請求項１２】
スピルオーバーフィッティングの全体長さが６インチであることを特徴とする請求項１に記載のスピルオーバーフィッティング。
【請求項１３】
ケーブル管理装置であって、直立面及びベースを有する横ケーブルトラフ;及びスピルオーバーフィッティングを備え、スピルオーバーフィッティングは、少なくとも部分的に横ケーブルトラフのベースに渡って延在する第１曲面を有する第１出口経路;及び第１曲面と交差する第２曲面を有する底壁を備え、前記第１面は横ケーブルトラフのベースに対して上方に曲がり、ケーブル経路の頂面を規定し、且つ、前記第２面は凸状に曲がり、ケーブル経路の底面を規定し、且つ、第１曲面の曲率半径が第２曲面の曲率半径と等しいことを特徴とするケーブル管理装置。
【請求項１４】
さらに、前記第１曲面から延在する少なくとも１つの束縛部材を有することを特徴とすることを特徴とする請求項１３に記載のケーブル管理装置。
【請求項１５】
前記束縛部材が横ケーブルトラフの空間の外側に配置されることを特徴とする請求項１４に記載のケーブル管理装置。
【請求項１６】
さらに、横ケーブルトラフの直立面に接触する２つの配置タブを備えることを特徴とする請求項１３に記載のケーブル管理装置。
【請求項１７】
配置タブは、横ケーブルトラフの空間に延在するスピルオーバーフィッティングの一部のみであることを特徴とする請求項１６に記載のケーブル管理装置。
【請求項１８】
第２曲面が、ケーブルを横ケーブルトラフと垂直な方向に案内するために、１８０度変化までを備えることを特徴とする請求項１３に記載のケーブル管理装置。
【発明の詳細な説明】
【技術分野】
【０００１】
［関連の出願への相互参照］
この出願は２００７年８月２０日に提出された米国仮特許出願６０/９５６７３３号を基に優先権を主張し、その全ての記載がここに参照により組み込まれる。
【０００２】
本願出願は、通常ケーブル管理に関し、より詳しくは、配線管、トラフまたは他のケーブル管理装置のような分野の応用に使用するための、小型スピルオーバーフィッティング及び、小型スピルオーバーフィッティングを使用した方法に関する。
【背景技術】
【０００３】
図１Aから１Cは、様々な従来技術のスピルオーバーフィッティングの図を示している。図１Aから１Cに示されているように、スピルオーバーフィッティング１０は下方に突出した側壁１４から延在する曲がった底面１２を含む。下方に突出した側壁１４は、横トラフ（図示されていない）の内側表面に沿って搭載されている。曲がった底面１２のそれぞれの側では、スピルオーバーフィッティング１０は曲がった側壁１６を有している。曲がった側壁１６は、下方に突出する側壁１４に位置する縁部１８で終わっている。スピルオーバーフィッティング１０はまた、２つのリードイン２０を有しており、そのリードイン２０は下方に突出した側壁１４の一部、曲がった頂面２２、及び下方に垂れ下がるフランジ２４により規定されている。スピルオーバーフィッティング１０の曲がった表面は、幾分か曲がった半径制御を提供する。図１Aから１Cのスピルオーバーフィッティングはさらに特許文献１に記載されている。
【０００４】
図２は別の知られたケーブル出口案内装置２６を図示する。案内装置２６は、横ケーブルトラフに延在する部材２７を含み、また曲がり半径制御のための曲がった曲面２８を提供する。図２のケーブル出口案内装置２６は、さらに特許文献２に記載されている。
【先行技術文献】
【特許文献】
【０００５】
【特許文献１】米国特許第６９２５２４２号明細書
【特許文献２】米国特許第５８７２３３６号明細書
【発明の概要】
【発明が解決しようとする課題】
【０００６】
既知の種類のスピルオーバーフィッティングに関しては不利な点がある。既知のスピルオーバーフィッティングは横トラフの空間に延在するまで広がり、そのような既知のスピルオーバーフィッティングは横トラフの許容量を減少させる。寸法は既知のスピルオーバーフィッティングの別の不利な点である。寸法はコスト（材料のコストによる）だけではなく、高密度製品のための複式スピルオバーを設置するための能力及び火災時に生成される煙の量に影響する。したがって、改善されたスピルオーバーフィッティングを有することが望ましい。
【課題を解決するための手段】
【０００７】
スピルオーバーフィッティングは、横ケーブルトラフの直立面に位置する。スピルオーバーフィッティングは、少なくとも部分的に横ケーブルトラフのベースに渡って延在する第１曲面を有する第１出口経路を含む。好ましくは、第１曲面の底部分は横ケーブルトラフの直立面の頂部に配置される。スピルオーバーフィッティングは、また、第１曲面と交差する第２曲面を有する底壁を備える。第１面は横ケーブルトラフのベースに対して上方に曲がり、ケーブル経路の頂面を規定し、且つ、第２面は凸状に曲がり、ケーブル経路の底面を規定する。第１曲面の曲率半径は第２曲面の曲率半径と等しい。好ましくは、第１及び第２曲面の曲率半径は、ケーブルの特定された最小曲がり半径に等しい。
【０００８】
好ましくは、スピルオーバーフィッティングは、また前記第１曲面から延在する少なくとも１つの束縛部材を有する。前記束縛部材は横ケーブルトラフの空間の外側に配置される。
【０００９】
好ましくは、スピルオーバーフィッティングは、また、前記第２曲面から延在する２つの平行な対向する側壁を有し、第２曲面は、ケーブルを横ケーブルトラフと垂直な方向に案内するために、１８０度変化までを備える。
【００１０】
好ましくは、第２出口経路は、第１出口経路から底壁に渡って配置される。
【００１１】
好ましくは、スピルオーバーフィッティングは、また、横ケーブルトラフの直立面に接触する２つの配置タブを備え、配置タブは、横ケーブルトラフの空間に延在するスピルオーバーフィッティングの一部のみである。
【００１２】
好ましくは、スピルオーバーフィッティングは、また、スピルオーバーフィッティングの下側に配置される搭載ブラケットを備え、スピルオーバーフィッティングの全体長さは６インチである。
【図面の簡単な説明】
【００１３】
【図１Ａ】様々な従来技術のスピルオーバーフィッティングを示す図である。
【図１Ｂ】様々な従来技術のスピルオーバーフィッティングを示す図である。
【図１Ｃ】様々な従来技術のスピルオーバーフィッティングを示す図である。
【図２】別の従来技術のスピルオーバーフィッティングを示す図である。
【図３】好ましい実施形態に一致するスピルオーバーフィッティング及び横トラフの断面を示す斜視図である。
【図４】図３に示されているスピルオーバーフィッティング及び横トラフの断面を示す頂面図である。
【図５】図３に示されているスピルオーバーフィッティング及び横トラフの断面を示す前面図である。
【図６】図３に示されているスピルオーバーフィッティング及び横トラフの断面を示す側面図である。
【図７】図３に示されているスピルオーバーフィッティングの前面等角図である。
【図８】図３に示されているスピルオーバーフィッティングの背面等角図である。
【図９Ａ】図３に示されているスピルオーバーフィッティングの下側等角図である。
【図９Ｂ】図３に示されているスピルオーバーフィッティングの下側等角図である。
【発明を実施するための形態】
【００１４】
図３は本発明の実施形態に一致する小型スピルオーバーフィッティング３０及び横トラフ３２の一部（底及び１つの側壁）を示す。小型スピルオーバーフィッティング３０はケーブル又はワイヤの出口経路を有する。好ましい実施形態において、小型スピルオーバーフィッティング３０中の全ての出口経路は、曲がった面により規定されている。第１表面３４は少なくとも横トラフ３２のベース３６の上を部分的に覆って配置されている。第１表面３４は、横トラフ３２のベース３６に対して上側に曲がっており、出口経路のための頂部面を規定している。第１表面３４は横トラフ３２から持ち上げられる任意のケーブル又はワイヤを案内するために９０度変化まで提供する。第２表面３８は横トラフ３２に近接して配置され、それは第１表面３４と交わり、それは横トラフ３２から離れて延在する。第２表面３８は、ケーブル又はワイヤを、横トラフ３２と垂直な方向に、案内することを提供するために、凸状に、１８０度変化まで曲がる。第２表面３８は出口経路のための底面を規定する。
【００１５】
第１表面３４及び第２表面３８は、同じ曲率半径を有してもよい。第１表面３４及び第２表面３８が同じ曲率半径を有するか否かにかかわらず、第１表面３４及び第２表面３８の最小曲率半径は、好ましくはケーブルの特定された最小曲がり半径よりも小さくないことである。
【００１６】
小型スピルオーバーフィッティング３０はまた２つの直線の、指状束縛部材４０を含む。束縛部材４０は第１表面３４の端部から内側に突出し、そしてケーブルが小型スピルオーバーフィッティング３０の外に垂れ下がるのを防ぐために使用されてもよい。
【００１７】
図４は、図３に示されているスピルオーバーフィッティング３０及び横トラフ３２の断面を示す頂面図である。
【００１８】
図５は、図３に示されているスピルオーバーフィッティング及び横トラフの断面を示す前面図である。図５はまた、小型スピルオーバーフィッティング３０の好ましい実施形態の寸法を含む。この実施形態では、小型スピルオーバーフィッティング３０全体の長さは６インチであり、最小ケーブル曲がり半径は２インチである。比較の目的のために、図１Bで現されている従来技術のスピルオーバーフィッティングは９.９インチの全体の長さを有しており、最小ケーブル曲がり半径は２インチである。小型スピルオーバーフィッティング３０の利点は、顕著に小さな寸法である一方、同じ最小ケーブル曲がり半径のケーブル出口経路をなお提供していることである。顕著に横トラフ３２の許容量に影響しないで、横トラフ３２の範囲内の非常に小さな空間を利用することはさらに小型スピルオーバーフィッティング３０の利点である。
【００１９】
図６は、図３に示されているスピルオーバーフィッティング３０及び横トラフ３２の断面を示す側面図である。
【００２０】
図７は、図３に示されているスピルオーバーフィッティング３０の前面等角図である。
【００２１】
図８は、図３に示されているスピルオーバーフィッティング３０の背面等角図である。
【００２２】
図９A及び図９Bは、図３に示されているスピルオーバーフィッティング３０の下側等角図である。図９Aにおいて、搭載ブラケット４２は、小型スピルオーバーフィッティング３０の下側に示されている。搭載ブラケット４２は細長い端部４６を有している。ファスナー（図示されていない）が、横トラフ３２の下側の搭載レール４８（図３及び図６で示されている）で細長い端部４６を配置することにより、小型スピルオーバーフィッティング３０を、横トラフ３２に、固定するために使用されることができる。この方法で固定される場合に、配置タブ４４は横トラフ３２の側壁上の突起５０の下で適合する。タブ４４はケーブルを不注意で横トラフ３２から取り除くことを防ぐ。
【００２３】
図示された実施形態は例としてのみ示されており、本願発明の範囲を限定するものと解釈すべきではないことを理解しなければならない。
【符号の説明】
【００２４】
１０  スピルオーバーフィッティング
１２  底面
１４  側壁
１６  側壁
１８  縁部
２０  リードイン
２２  頂面
２４  フランジ
３０  小型スピルオーバーフィッティング
３２  横トラフ
３４  第１表面
３６  ベース
３８  第２表面
４０  束縛部材
４２  搭載ブラケット
４４  配置タブ
５０  突起
【図１Ａ】
2010538592.tif 000003
【図１Ｂ】
2010538592.tif 000004
【図１Ｃ】
2010538592.tif 000005
【図２】
2010538592.tif 000006
【図３】
2010538592.tif 000007
【図４】
2010538592.tif 000008
【図５】
2010538592.tif 000009
【図６】
2010538592.tif 000010
【図７】
2010538592.tif 000011
【図８】
2010538592.tif 000012
【図９Ａ】
2010538592.tif 000013
【図９Ｂ】
2010538592.tif 000014
【国際調査報告】
2010538592.tif 000015
2010538592.tif 000016